(57)【要約】【課題】カバー体に別材料からなる緩衝材を用いることなく、００６Ｐの製品公差を吸収して堅固に固定できる自動通報装置の筐体構造を提供する。【解決手段】自動通報機器を収納する筐体１の筐体ベース２に００６Ｐ電池Ｂを収納する電池収納凹部４を形成し、電池収納凹部４に００６Ｐ電池Ｂを自動通報機器に電気的に接続可能に収納し、収納凹部４の開口側より００６Ｐ電池Ｂを押え込む押え込み手段を設ける。押え込み手段は、一端側が筐体ベース２のヒンジ受部９，９に押え込みレバー５の一方の脚部７に設けたヒンジ軸７ａを挿入し、他方の脚部８に設けた爪部８ｂを筐体ベース２に設けた貫通孔１１に係合することによって、押え込みレバー５が電池収納凹部４の開口部を架橋し、００６Ｐ電池Ｂを電池収納凹部４の底部側に押え込むように構成した。【選択図】  図３
2004327367.tif 000002
【特許請求の範囲】
【請求項１】
自動通報機器を収納する筐体に００６Ｐ電池を収納する電池収納凹部を形成すると共に、前記電池収納凹部に前記００６Ｐ電池を前記自動通報機器に電気的に接続可能に収納し、且つ、前記収納凹部の開口側より前記００６Ｐ電池を押え込む押え込み手段を設けて構成する自動通報装置の筐体構造であって、
前記押え込み手段は、一端側が前記筐体にヒンジ機構を介して揺動自在に設置されるとともに、他端側が係止機構を介して前記筐体に係脱可能に係合する押さえ込みレバーを備え、前記押え込みレバーが前記電池収納凹部の開口部を架橋することによって前記００６Ｐ電池を前記電池収納凹部の底部側に押え込むように構成したことを特徴とする自動通報装置の筐体構造。
【請求項２】
前記押え込みレバーが、ばね性を有することを特徴とする請求項１記載の自動通報装置。
【請求項３】
前記電池収納凹部の互いに対向する側壁のうち、一方の側壁に前記ヒンジ機構を構成するヒンジ受部を形成すると共に、他方の側壁に前記係止機構を構成する係止部を形成しており、
且つ、前記押え込みレバーは、平板状の基部と該基部の両端部をそれぞれ同一方向に折曲させて形成した一対の脚部とで構成し、該一対の脚部のうち一方の脚部の先端に、前記ヒンジ受部と係合して前記ヒンジ機構を構成するヒンジ軸を設けると共に、他方の脚部の先端に前記係止部に係合して前記係止機構を構成する爪部を形成したことを特徴とする請求項１または２記載の自動通報装置の筐体構造。
【請求項４】
前記係止部は、貫通孔で構成すると共に、前記爪部が前記他方の脚部に外向きに突出するように形成されたことを特徴とする請求項３記載の自動通報装置の筐体構造。
【請求項５】
前記係止部は、貫通孔で構成すると共に、前記爪部が前記他方の脚部に内向きに突出するように形成されたことを特徴とする請求項３記載の自動通報装置の筐体構造。
【請求項６】
前記押え込みレバーの他方の脚部には、外向きに突出延在して、前記係止部と前記爪部との係合を離脱させるレバー片部を形成したことを特徴とする請求項５記載の自動通報装置の筐体構造。
【発明の詳細な説明】
【０００１】
【発明の属する技術分野】
本発明は、自動通報装置の筐体構造、特に筐体内に収納される００６Ｐ電池を固定するための固定構造を備えた自動通報装置の筐体構造に関する。
【０００２】
この種の筐体構造においては、自動通報装置を構成する自動通報機器に主電力を供給するため或いは商用電源の停電時の補助電源として筐体内部に００６Ｐ電池を収容している。
【０００３】
【従来の技術】
従来のこの種の筐体構造としては、例えば、ハウジング（筐体）が、第１のケースと第１のケースと係合する第２のケースおよび第２のケースに装着されて内部の端子台などを覆う端子カバーとで構成して、端子カバー内に電池の収容領域を設けたものが知られている（特許文献１を参照）。
【０００４】
【特許文献１】
特開平１１−２３８４９２号公報（段落０００７乃至００１４、図１、図２）
【０００５】
そして、電池は、丸型電池を使用して、第２のケースを第１のケースに対して鉛直方向に延在させて設けた一対の電池係止爪により挟着されて保持されている。
【０００６】
【発明が解決しようとする課題】
ところで、自動通報装置には、丸型電池を使用せず、００６Ｐ電池を使用することが一般的であり、００６Ｐ電池は、ほぼ直方体形状を呈しており、その縦・横・高さのいずれの寸法についても、±１ｍｍの公差をもって規格化されている。
【０００７】
即ち、図９に示すように、００６Ｐ電池Ｂは、全体形状を角丸に形成した矩形状を呈して構成されており、規格上、長辺寸法ａが４６．５〜４８．５ｍｍ、短辺寸法ｂが２４．５〜２６．５ｍｍ、高さ寸法ｃが１７．５〜１５．５ｍｍとなっており、筐体側の自動通報機器と電池用コネクタ４ｅを介して電気的に接続可能に構成されている。
【０００８】
従って、００６Ｐ電池を自動通報装置の筐体内に収容する場合、その収容部は、規格上の最大公差に適合するように形成される必要がある。
【０００９】
この結果、最大公差より小さく製作された００６Ｐ電池の場合には、筐体の収容部ないにおいてガタツキ状態で収容されることになる。
【００１０】
そこで、従来、自動通報装置の筐体構造においては、自動通報機器を収容する筐体ベースに００６Ｐ電池の収容凹部を設け、収容凹部内に収容された００６Ｐ電池Ｂを筐体ベースをカバーするカバー体で押える為に、カバー体の裏面側に別部品のスポンジやラバー等の弾性体を貼着し、弾性体の押圧力により００６Ｐ電池を筐体ベース側に押え込むような構成を採用していた。
【００１１】
かかる従来の構成においては、００６Ｐ電池を押さえ込むために、カバー体に別体の緩衝材を貼着する必要があり、このために、別部品の緩衝材を必要とすると共にこの緩衝材を貼着するための接着材を必要とし、緩衝材の取付工数も必要となって、コストアップの原因ともなっていた。
【００１２】
また、弾性体は、通常カバー体や筐体ベースとは異なる材料を使用しており、しかも接着材によりカバー体に貼着されていることから、製品の廃棄処分をする際の分別・回収を難しくしていた。
【００１３】
本発明は、かかる点に鑑み、カバー体に別材料からなる緩衝材を用いることなく、００６Ｐの製品公差を吸収して堅固に固定できる自動通報装置の筐体構造を提供することを目的としている。
【００１４】
【課題を解決するための手段】
上記目的を達成するために、本発明に係る自動通報装置の筐体構造は、自動通報機器を収納する筐体に００６Ｐ電池を収納する電池収納凹部を形成すると共に、電池収納凹部に前記００６Ｐ電池を自動通報機器に電気的に接続可能に収納し、且つ、電池収納凹部の開口側より００６Ｐ電池を押え込む押え込み手段を設けて構成し、押え込み手段が、一端側が筐体にヒンジ機構を介して揺動自在に設置されるとともに、他端側が係止機構を介して筐体に係脱可能に係合する押さえ込みレバーを備え、押え込みレバーが電池収納凹部の開口部を架橋することによって００６Ｐ電池を電池収納凹部の底部側に押え込むように構成したことを特徴とする。
【００１５】
本発明によれば、押え込みレバーが電池収納凹部の開口部を架橋して、００６Ｐ電池を電池収納凹部の底部側に押さえ込むことにより、００６Ｐ電池のガタツキを適切に吸収することができ、カバー体に別部品の緩衝材等を貼着しなくてもよいことになり、製造コスト上有利であるばかりでなく、製品の廃棄処分をする際の分別・回収にも利点を発揮することができる。
【００１６】
また、本発明は、押え込みレバーがばね性を有するために、００６Ｐ電池を弾性的に保持して００６Ｐ電池の寸法のバラツキを的確に吸収できると共に、筐体が設置場所等から落下したような場合に００６Ｐ電池が振動した場合に、この振動を押え込みレバーのバネ力で吸収して、００６Ｐ電池の収容凹部からの飛び出し等を防止できる。
【００１７】
また、本発明は、電池収納凹部の互いに対向する側壁のうち、一方の側壁にヒンジ機構を構成するヒンジ受部を形成すると共に、他方の側壁に係止機構を構成する係止部を形成しており、且つ、押え込みレバーが、平板状の基部と基部の両端部をそれぞれ同一方向に折曲させて形成した一対の脚部とで構成し、一対の脚部のうち一方の脚部の先端に、ヒンジ受部と係合してヒンジ機構を構成するヒンジ軸を設けると共に、他方の脚部の先端に係止部に係合して係止機構を構成する爪部を形成したことを特徴とするものである。
【００１８】
かかる構成により、本発明は、押え込みレバーが、爪部を係止部との係合から離脱すると共に、ヒンジ軸をヒンジ受部より取り外すことにより、容易に筐体から取り外すことができ、たとえ別材料で構成しても、製品の廃棄処分をする際の分別・回収に利点を発揮することができる。
【００１９】
また、本発明は、係止部が貫通孔で構成すると共に、爪部が他方の脚部に外向きに突出するように形成されたことを特徴とするもので、もし押え込みレバーを上方から押圧しても、この押圧力が爪部の貫通孔に対して係合方向に働くことになり、この結果、押え込みレバーが不用意に筐体から外れて、００６Ｐ電池の収容凹部からの飛び出しを防止できる。
【００２０】
また、本発明は、係止部が貫通孔で構成すると共に、爪部が他方の脚部に内向きに突出するように形成されていることから、前記本発明とは逆に、押え込みレバーを上方から押圧すれば、この押圧力で爪部が貫通孔から容易に外すことができることになる。
【００２１】
また、本発明は、押え込みレバーの他方の脚部に、外向きに突出延在して係止部と爪部との係合を離脱させるレバー片部を形成したことから、レバー片部を使用して、容易に爪部を貫通孔から離脱させることができる。
【００２２】
【発明の実施の形態】
以下、本発明の実施の形態について、添付図面を用いて説明する。
【００２３】
図１乃至図６は、本発明にかかる実施の形態を採用した自動通報装置の筐体構造を示すもので、図１は自動通報装置の筐体の斜視図、図２は図１の筐体からカバーを取り外した状態の筐体ベースの斜視図、図３は同じく筐体ベースの電池収容凹部付近における押え込みレバーを取り外した状態を描画した拡大分解斜視図、図４は同じく押え込みレバーのヒンジ結合付近を拡大して描画した縦断面図、図５は同じく押え込みレバーの係止部付近を拡大して描画した縦断面図である。
【００２４】
図１において、自動通報装置の筐体１は、自動通報機器を配設する合成樹脂製の筐体ベース２と筐体ベース２の上方から装着されて自動通報機器をカバーするやはり合成樹脂製のカバー体３から構成されている。
【００２５】
筐体ベース２は、図２に示すように、平面視１／４位の面積を占有する角隅部を凹設することによって、電池収容凹部４が形成されている。
【００２６】
電池収容凹部４は、矩形状の００６Ｐ電池Ｂを寝かせた状態で収容すべく、平面視矩形状を呈しており、００６Ｐ電池Ｂの最大寸法公差に適合する容積を有している。
【００２７】
また、電池収容凹部４の長辺側側壁４ａ，４ａ側において開口部を架橋するように、筐体ベース２には００６Ｐ電池Ｂを電池収容凹部４の底部側に押さえ込む押え込みレバー５が設けられている。
【００２８】
即ち、押え込みレバー５は、ばね性を有すると共に筐体１と同一合成樹脂材料から構成しており、平板状の基部６と、基部６の両端部にそれぞれ同一方向に略直角に折曲形成された一対の脚部７，８とで構成している。
【００２９】
一対の脚部７，８のうち、一方の脚部７の両側部先端には、それぞれ丸棒状のヒンジ軸７ａ、７ａが張り出し形成されており、他方の脚部８の先端部には、狭窄片部８ａが形成されており、狭窄片部８ａの先端には、外向きに鉤状に突出する爪部８ｂが形成されている。
【００３０】
ベース筐体１の上面２ａにおける電池収容凹部４の外側の長辺側側壁４ａ側には、互いに離間した状態でエンボス形成されたヒンジ受部９、９が形成されており、ヒンジ受部９，９は、互いに対向する側及び電池収容凹部４側が開口する略ドーム型を呈しており、開口部９ａ側からヒンジ軸７ａ、７ａを係合することによって、押さえ込みレバー５を揺動自在に筐体ベース２に装着している（特に、図４及び図５を参照）。
【００３１】
ヒンジ受部９，９の間には、筐体ベース２の上面２ａを切り欠いて形成されたヒンジ軸押え片１０が配置されている。
【００３２】
ヒンジ軸押え片１０は、ばね性を持って電池収容凹部４側が揺動できるように遊端側として形成されており、先端部に突起１０ａが形成されて、ヒンジ軸７ａ，７ａを下部側から押圧して、ヒンジ受部９，９の上壁部に押付けるとともに突起１０ａに引っかかることによって、ヒンジ軸７ａ、７ａが容易にヒンジ受部９，９から抜け出ないようにしている。
【００３３】
かくして、ヒンジ軸７ａ，７ａ、ヒンジ受部９，９或いはヒンジ軸押え片１０から、押え込みレバー５のヒンジ機構を構成している。
【００３４】
筐体ベース２の上面において、電池収納凹部４の内側の長辺側側壁４ｂに対向して、押え込みレバー５の爪部８ｂを係脱可能に係合する係止部としての貫通孔１１が形成されており、貫通孔１１は電池収納凹部４の両長辺側側壁４ａ、４ｂを挟んでヒンジ受部９，９と対設している。かくして、押え込みレバー５の爪部８ｂと筐体ベース２側の貫通孔１１とで、押え込みレバー５の係止機構を構成している。
【００３５】
そして、押え込みレバー５の爪部８ｂは、外向きに突出して形成しているために、貫通孔１１における筐体ベース２の内方側の壁１１ａ側に係合している。
かくして、押え込みレバー５は、先ず、一方の脚部７に形成したヒンジ軸７ａ、７ａをヒンジ軸押え片１０に下から突き上げられながら、ヒンジ受部９，９に係合して揺動自在に装備しておく。
【００３６】
そして、電池収納凹部４に寝かせた状態で００６Ｐ電池Ｂを収納した状態で、ヒンジ軸７ａ、７ａを中心に押え込みレバー５の他方の脚部８側を筐体ベース２の上面２ａ側に揺動させることによって、爪部８ｂを貫通孔１１に係合して、押え込みレバー５を筐体ベース２に装着する。
【００３７】
この時、押え込みレバー５は、その基部６の下面部が弾性的に００６Ｐ電池Ｂを電池収納凹部４の底部側に押さえ込んで固定することになる。
【００３８】
上記のように構成する本発明の実施の形態によれば、押え込みレバー５が電池収納凹部４の開口部を架橋して、００６Ｐ電池Ｂを電池収納凹部４の底部側に押さえ込むことにより、００６Ｐ電池Ｂのガタツキを適切に吸収することができ、カバー体３に別部品の緩衝材等を貼着しなくてもよいことになり、製造コスト上有利であるばかりでなく、製品の廃棄処分をする際の分別・回収にも利点を発揮することができる。
【００３９】
また、押え込みレバー５がばね性を有するために、電池収納凹部４内において００６Ｐ電池Ｂを弾性的に保持できると共に、筐体１が設置場所等から落下したような場合に００６Ｐ電池Ｂが振動した場合に、この振動を押え込みレバー５のバネ力で吸収して、００６Ｐ電池Ｂの電池収容凹部からの飛び出し等を防止できる。
【００４０】
次に、図６及び図７に示す本発明の他の実施の形態における押え込みレバーについて説明する。
【００４１】
図６（ａ）は押え込みレバーを上面側から描画した斜視図、図６（ｂ）押え込みレバーを下面側から描画した斜視図、図７は筐体ベースの電池収納凹部付近を拡大して描画した斜視図である。
【００４２】
図６及び図７において、押え込みレバー５は、その他方の脚部８に設けた爪部８ｂが内向きに形成されていると共に、他方の脚部８に外向きに突出延在して、貫通孔１１と爪部８ｂとの係合を離脱させるレバー片部８ｃを形成している点および電池収容部４の一方側の短辺側側壁４ｃに００６Ｐ電池Ｂの下押えばね片１４を形成している点、上記実施の形態と異なる構成を有しており、爪部８ｂが内向きに形成しているために、貫通孔１１の電池収納凹部４側の内壁に係合することになって、レバー片部８ｃを矢印１２側に持ち上げると、押え込みレバー５がＢ１３側に揺動して、貫通孔１１に対する爪部８ｂの係合を離脱することができる。
【００４３】
このために、レバー片部８ｃを使用すれば、容易に爪部８ｂを貫通孔１１から離脱させることができる。
【００４４】
そして、上記のような操作を利用者に明確に表示するために、図８に示すように、レバー片部８ｃに予め動作を説明する文字を印刷しておくとよい。
【００４５】
また、下押えばね片１４は、００６Ｐ電池Ｂの長軸方向を他方の短辺側側壁４ｄ側に押さえ込むことができ、この結果、００６Ｐ電池Ｂは、押え込みレバー５と共に、二方向から押さえ込まれて電池収容凹部４内に保持されることになる。
【００４６】
【発明の効果】
以上説明したように、本発明によれば、押え込みレバーが電池収納凹部の開口部を架橋して、００６Ｐ電池を電池収納凹部の底部側に押さえ込むことにより、００６Ｐ電池のガタツキを適切に吸収することができ、カバー体に別部品の緩衝材等を貼着しなくてもよいことになり、製造コスト上有利であるばかりでなく、製品の廃棄処分をする際の分別・回収にも利点を発揮することができる。
【図面の簡単な説明】
【図１】自動通報装置の筐体の斜視図である。
【図２】図１の筐体からカバーを取り外した状態の筐体ベースの斜視図である。
【図３】同じく筐体ベースの電池収容凹部付近における押え込みレバーを取り外した状態を描画した拡大分解斜視図である。
【図４】同じく押え込みレバーのヒンジ結合付近を拡大して描画した縦断面図である。
【図５】同じく押え込みレバーの係止部付近を拡大して描画した縦断面図である。
【図６】（ａ）は本発明の他の実施の形態による押え込みレバーを上面側から描画した斜視図、（ｂ）は押え込みレバーを下面側から描画した斜視図である。
【図７】筐体ベースの電池収納凹部付近を拡大して描画した斜視図である。
【図８】図６における押え込みレバーのレバー片部側を拡大して描画した斜視図で、（Ａ）、（Ｂ）及び（Ｃ）はそれぞれ異なる実施の形態を示している。
【図９】自動通報装置に使用する００６Ｐ電池とこれにを接続する電池用コネクタを描画した斜視図である。
【符号の説明】
１    筐体
２    筐体ベース
３    カバー体
４    電池収容凹部
４ａ  外側の長辺側側壁
４ｂ  内側の長辺側側壁
５    押え込みレバー
６    基部
７    一方の脚部
７ａ  ヒンジ軸
８    他方の脚部
８ｂ  爪部
８ｃ  レバー片部
９    ヒンジ受部
１１    貫通孔（係止部）
【図１】
2004327367.tif 000003
【図２】
2004327367.tif 000004
【図３】
2004327367.tif 000005
【図４】
2004327367.tif 000006
【図５】
2004327367.tif 000007
【図６】
2004327367.tif 000008
【図７】
2004327367.tif 000009
【図８】
2004327367.tif 000010
【図９】
2004327367.tif 000011